(57)【要約】      （修正有）【課題】えり首並びに袖口本体に、取り替えかばーを確実にはりつけ又取り替えかばーを、いつまでも、どこでも取り替えでき、１日きたわいしゃつは、せんたくしていたが、取り替えかばーをかえることにより、その必要がなくなり、汚れを気にせず、目立たない外観を得る。【解決手段】えり首並びに袖口本体に、取り替えかばーを両面てーぷで確実にはりつけ固定する。【選択図】図４
0003101503.tif 000002
【実用新案登録請求の範囲】
【請求項１】
えり首並びに袖口取り替えかばーであって、さいずにより、形紙（２）に布（３）をかさね裁断（１０、１１、１２）して刺しゅう（４、５、６）並びにかがり（７、８、９）することによって、えり首かばー（１）なる取り替えかばー装置。
【請求項２】
布用両面てーぷ（１３）にえり首かばー（１４）をはりつけ、てーぷ（１５、１６）切り取り、えり首装置。
【請求項３】
えり首取り替えかばー（１４）をはがし、本体えり首（１７）にはりつけ、つめ（１９、２０）を内側に曲げてはり付け折り曲げると（２１、２２）えり首かばー（１）となる。
【請求項４】
両面てーぷをはがした紙（２３）にえり首取り替えかばー（１８）はりつけ、せんたくすれば再利用できる装置。
【請求項５】
さいずにより袖口形紙（２６）に布（２７）をかさね裁断（３２、３３、３４、３５）して、刺しゅう（２８）をほどこし、並びにかがり（２９、３０、３１）することによって袖口取り替えかばー（２５）の装置。
【請求項６】
布用両面てーぷ（３６）に袖口取り替えかばー（３７）をはりつけ、てーぷ（３８、３９）切りとる装置。
【請求項７】
袖口取り替えかばー（３７）をはがし、本体の袖口（４０）にはりつけ折り曲げる（４２）と袖口取り替えかばー（４１）である
【請求項８】
布用両てーぷをはがした紙（４５）に袖口かばー（４６）をはりつけ、せんたくすれば再利用できる装置。
【請求項９】
えり首かばー（１）並びに袖口かばー（２５）は吸収性のある、布、あくりる、天然ぱるぷ等が使用できる。
【考案の詳細な説明】
【０００１】
〔考案の属する技術分野〕
本考案は、えり首並びに袖口取り替えかばーで、いつ、どこでも簡単に利用でき、その取り替えかばーに関するものである。
【０００２】
〔従来の技術〕
従来、この種のえり首並びに袖口取り替えかばーとしての装置はなくはんかち等を利用していたのである。
【０００３】
〔考案が解決しようとする課題〕
従来の技術で述べたもののうち、前者において簡単にできるものの仕事上支障をきたしていた間題点を有していた。
【０００４】
また、後者において仕事上支障をきたすことが多く、又外観を損ねると、いう間題点を有していた。
【０００５】
本考案は、従来の技術の有する、このような問題点に鑑みてなされたものであり、その目的とするところは、えり首並びに袖口の取り替えかばーの簡単な作業によりできたもので、外観的にも優れたえり首並びに袖口装置並びにその取替えかばーを提供しようとするものである。
【０００６】
〔課題を解決するための手段〕
上記目的を達成するために、本考案におけるえり首装置は、えり首並びに袖口に両面てーぷをはりつけ、本体であるえり首並びに袖口にはりつけて取り替えかばーとしてなるものである。
【０００７】
そして、上記、えり首並びに袖口に刺しゅう及びかがりするのが好ましい。
【０００８】
また、てーぷと、てーぷをはり合せない。
【０００９】
また、けいたい用に所持すれば、いつでも、どこでも取り替えることができる。
【００１０】
さらに、えり首並びに袖口はてーぷと一諸にはがして、板又は平な所、はりつけ、たわし等で洗いほします。
【００１１】
えり首並びに袖口の刺しゅうの代替として、染めて使用してもよい。
【００１２】
えり首並びに袖口取り替えかばーに天然ぱるぷを使用した場合使いすてもよい。
【００１３】
〔考案の実施の形熊〕
考案の実施の形熊について図面を参照して説明する。
図４と図９において、えり首取り替えかばー並びに袖口かばーは布を用い、形紙、布をかさね裁断し又刺しゅう並びにかがりにより形成加工されて、さらに詳しくは、えり首本体に両面てーぷがついた、えり首かばー１８にはりつけ、又袖口本体４０に両面てーぷがついた袖口かばー４１をはりつける個所である。
【００１４】
えり首並びに袖口のかばーについて、形紙、布、てーぷによって形成され、布用両面てーぷで構成されできていて図３は布用両面てーぷ１３にえり首取り替えかばーをはりつけてーぷを切り取り紙をはがして、えり首並びに袖口取り替えかばーができている。
【００１５】
また、えり首かばーをえり首本体にはりつけて、つめを内側にはりつけ折り曲げてえり首かばーができて用いる。
【００１６】
図５において、えり首取り替えかばー１８及び図９の袖口取り替えかばーをてーぷと一諸にはがし両面てーぷをはがした紙にはりつけ再利用できる。
【００１７】
図１は、えり首立体図、又図６は袖口立体図である。
【００１８】
図２は、形紙、布、刺しゅう、かがり、してかさねたえり首かばー又図７は、形紙、布、刺しゅう、かがり、してかさねた袖口かばーであり図２は、図３に、図７は、図８にはりつけ、てーぷを切りとる。
【００１９】
図３は、布用両面てーぷにえり首かばーをはりつけ、又図８は布用両面てーぷに袖口かばーをはりつけ、てーぷを切り取る装置。
【００２０】
図９は、袖口本体に袖口取り替えかばーをはりつけ折り曲げて図２５の袖口かばーができている。
【００２１】
図５と図１０は、両面てーぷをはがした紙にえり首、袖口をはりつけ
【００２２】
〔考案の効果〕
本考案は、上述とうり構成されているので、次に記載する効果を奉する。
【００２３】
請求項１の（注）えり首並びに袖口取り替えかばーにおいては、てーぷによって、はりつけているので簡単な作業で確実にはりつけることができ、つめを内側にはりつければ、つぎ目がわからず観に優れている
【００２４】
請求項２の装置において、えり首並びに袖口取り替えかばー装置において布用両面てーぷではりつけてあるので確実にできる。
【００２５】
請求項３のえり首取り替えかばーにおいては、はがしたかばーを本体えり首かばーにはりつけ、つめを内側にはりつければ、つぎ目がわからず簡単な作業することができる。
【００２６】
請求項４の両面てーぷをはがした紙に、えり首取り替えかばーをはりつけると再利用できる。
【００２７】
請求項５の袖口、形紙に布をかさね裁断、刺しゅうすればあくせさりーにもなる。
【００２８】
請求項６の両面てーぷをはがした紙に袖口取り替えかばーをはりつけてーぷを切り取り簡単にできる袖口かばーができる。
【００２９】
請求項７の袖口取り替えかばーをはがし、本体の袖口にはりつけ折り曲げると簡単にできる。
【００３０】
請求項８の両面てーぷをはがして紙に袖口取替えかばーをはりつけることによって再利用できる。
【００３１】
請求項９のえり首並びに袖口の取替えかばーにおいては、両面てーぷによって、形成されているので、取替えかばーに確実にはりつけることができる。
【図面の簡単な説明】
【図１】えり首装置をわいしゃつえり首に取り替えかばーをつけてなる立体図
【図２】えり首の形紙に布をかさね裁断し、刺しゅう並びにかがりをした平面である。
【図３】えり首を布用両面てーぷにえり首取り替えかばーをはり付けて、てーぷを切り取た平面図である。
【図４】えり首本体にえり首取り替えかばーをはり付け、つめをほどこした平面図である。
【図５】えり首かばーを両面てーぷをはがした紙にはりつけた平面図である。
【図６】袖口に取り替えかばーをつけてなる立体図である。
【図７】袖口形紙に布をかさね裁断し、刺しゅう並びにかがりをした平面図。
【図８】袖口を布用両面てーぷに袖口取り替えかばーをはりつけて、てーぷを切り取った平面図である。
【図９】袖口本体に袖口取り替えかばーをはりつけた平面図である。
【図１０】袖口かばーを両面てーぷをはがした紙にはりつけた平面図である。
【図１１】えり首にはんかちでかばーした立体図である。
【符号の説明】
１  えり首かばー
２  形紙
３  布
４、５、６  刺しゅう
７、８、９  かがり
１０、１１、１２  裁断
１３  布用両面てーぷ
１４  えり首かばー
１５、１６  てーぷ切りとり
１７  えり首本体
１８  えり首取り替えかばー
１９、２０  つめ
２１、２２  折り曲げ
２３  両面てーぷをはがした紙
２４  えり首かばー
２５  袖口立体図
２６  形紙
２７  布
２８  刺しゅう
２９、３０、３１  かがり
３２、３３、３４、３５  裁断
３６  布用両面てーぷ
３７  袖口取り替えかばー
３８、３９  てーぷ切りとり
４０  袖口本体
４１  袖口取り替えかばー
４２  折り曲げ
４３、４４  ぼたん穴
４５  両面てーぷをはがした紙
４６  袖口かばー
４７  はんかちかばー
【図１】
0003101503.tif 000003
【図２】
0003101503.tif 000004
【図３】
0003101503.tif 000005
【図４】
0003101503.tif 000006
【図５】
0003101503.tif 000007
【図６】
0003101503.tif 000008
【図７】
0003101503.tif 000009
【図８】
0003101503.tif 000010
【図９】
0003101503.tif 000011
【図１０】
0003101503.tif 000012
【図１１】
0003101503.tif 000013
【手続補正書】
【提出日】平成15年4月14日(2003.4.14)
【手続補正１】
【補正対象書類名】明細書
【補正対象項目名】全文
【補正方法】変更
【補正の内容】
【実用新案登録請求の範囲】
【請求項１】寸法により、形紙、布を重ね裁断され、刺しゅう（２）かがり（３）であって、つめ（４、５）を設け、布用両面てーぷ（６）を貼りその粘着力によるえり首取り替えかばー。
【請求項２】えり首取り替えかばーに布用両面てーぷ（６）を貼りつけ、さらに、てーぷ紙（７）をはがし、下かがり（３）を上かがり方向（１１）へ、下刺しゅう（２）を上刺しゅう（１０）の方向へ、又、つめ左（４）を折り曲げ地点（９）へ、つめ右（５）を折り曲げ地点左（８）で内側に曲げて貼ることによって断ぎ目が目立たず、ずれを防ぎえり首取り替えかばー。
【請求項３】えり首取り替えかばーに布用両面てーぷ（６）を貼りつけることにより、強固な粘着力により、えり首本体（１）との安定を保つえり首取り替えかばー。
【考案の詳細な説明】
【０００１】
〔考案に属する技術分野〕
本考案は、えり首取り替えかばーは布用両面てーぷによりえり首本体に貼りつけてなるえり首取り替えかばーに関するものである。
【０００２】
〔従来の技術〕
従来、この種のえり首取り替えかばーとしては、図３に示すはんかちをほどこし利用するものが知られていた。
【０００３】
〔考案が解決しようとする課題〕
従来、のえり首取り替えかはーで述べたもののうち前者においては、はんかち等をえり首本体に簡単に取り付けできるものの、はんかちがはみだし、首が息苦しくなるという問題点を有していた。
【０００４】
また、後者において、えり首本体にはんかちかばーは、簡単に取り付けできるものの、えり首よりはんかちがはみだし、見えることとなり昨今外観的重視のふあっしょんを損ねるという間題点を有していた。
【０００５】
本考案は、従来のえり首取り替えかばーの有するような間題点に鑑みてなされたものであり、その目的とするところは、布用両面てーぷを貼りその粘着力によりえり首取り替えかばーを簡単な作業によりかつはがれにくく確実に貼り付けるとともに、目立たず外観的にも優れたえり首取り替えかばーを提供しようとするものである。
【０００６】
〔課題を解決するための手段〕
上記目的を達成するために、本考案におけるえり首取り替えかばーは、寸法により、形紙、布、を重ねて裁断し、刺しゅう、かがりをほどこしたり首取り替えかばーに布用両面てーぷを貼り、さらに、てーぷ紙をはがして、下かがりを上かがり方向へ、下刺しゅうを上刺しゅうの方向へ、つめ左を折り曲げ地点右へ、つめ右を折り曲げ地点左にし内側に曲げ貼り付けてなるものである。
【０００７】
そして、上記えり首取り替えかばーは、刺しゅう、かがりすることが好ましい。
【０００８】
また、てーぷとてーぷをはり合せない。
【０００９】
また、けいたい用に所持すればいつどこでも取り替えることができる。
【００１０】
さらに、えり首取り替えかばーは、てーぷと一諸にはがして板、又は平な所ではりつけたわし等で洗う。
【００１１】
〔考案の形態〕
考案の実施の形態について図面を参照して説明する。
図１−図２において、えり首取り替えかばーは、寸法により形紙、布を重ね裁断し、刺しゅう、かがりにより構成され、さらに詳しくは、えり首取り替えかばーに布用両面てーぷを貼り、えり首本体に貼り付ける個所である。
【００１２】
えり首取り替えかばーは、布、刺しゅう、かがり、布用両面てーぷによって、えり首取り替えかばー図２に両面てーぷ６を貼りさらに、てーぷ紙７をはがし下かがり３を上かがり方向１１へ、下刺しゅう２を上刺しゅう方向１０へ、又、つめ左４を折り曲げ地点右９へ、つめ右５を折り曲げ地点左８で内側に曲げて、主としてえり首取り替えかばーができている。
【００１３】
〔考案の効果〕
本考案は、上述の通りえり首取り替えかばーに記載する効果を奉する
【００１４】
請求項１（注）えり首取り替えかばーにおいては、裏側に設けた両面てーぷで粘着しているので、簡単な作業でもって、えり首取り替えかばーを確実に貼りつけることができ断ぎ目が目立たず外観的にも優れている。
【００１５】
請求項２のえり首取り替えかばーにおいて、えり首本体にえり首取り替えかばーのつめを内側に曲げることにより断目が目立たず、ずれを防ぎ確実にできる。
【００１６】
請求項３のえり首取り替えかばーにおいては、裏側に布用両面てーぷを貼りつけてあるので、強固な粘着力でえり首本体とえり首取り替えかばーの安定を保ち簡単な作業で貼りつけることができる。
【図面の簡単な説明】
【図１】えり首取り替えかばーを、えり首本体にはりつけてなる立体である。
【図２】えり首取り替えかばーの斜視である。
【図３】えり首にはんかちでかばーした立体図である。
【符号の説明】
１  えり首本体
２  下刺しゅう
３  下かがり
４  つめ左
５  つめ右
６  布用両面てーぷ
７  てーぷ紙
８  折り曲げ地点左
９  折り曲げ地点右
１０  上刺しゅう方向
１１  上かがり方向
１２  えり首にはんかちをほどこしたかばー


【手続補正２】
【補正対象書類名】図面
【補正対象項目名】全図
【補正方法】変更
【補正の内容】
【図１】
0003101503.tif 000014
【図２】
0003101503.tif 000015
【図３】
0003101503.tif 000016
【手続補正書】
【提出日】平成15年7月24日(2003.7.24)
【手続補正１】
【補正対象書類名】明細書
【補正対象項目名】実用新案登録請求の範囲
【補正方法】変更
【補正の内容】
【実用新案登録請求の範囲】
【請求項１】
寸法により、形紙、布を重ね裁断し、えり首取り替えかばー（１）に刺しゅう（２）かがり（３）をほどこし、つめ（４５）を設けて、えり首取り替えかばーの裏側（６）に両面てーぷ（７、８）を貼りつけてなるえり首取り替えかばー。
【請求項２】
布用両面てーぷを貼りつけた（７、８）のえり首取り替えかばーの裏側（６）をえり首本体（１１）に、えり首取り替えかばーを（１２）に貼りつけ、つめ（９、１０）を内側に曲げて貼りつけてなるえり首取り替えかばー。
【手続補正２】
【補正対象書類名】明細書
【補正対象項目名】図面の簡単な説明
【補正方法】変更
【補正の内容】
【図面の簡単な説明】
【図１】えり首取り替えかばーを貼りつけた正面図である。
【図２】えり首取り替えかばーに刺しゅう、かがりをほどこし、つめを設けた正面図である。
【図３】えり首取り替えかばーの裏側に布用両面てーぷを貼りつけた正面図である。
【符号の説明】
１  えり首取り替えかばー
２  刺しゅう
３  かがり
４、５  つめ
６  えり首取り替えかばーの裏側
７、８  布用両面てーぷ
９、１０  内側に曲げたつめ
１１  えり首本体
１２  えり首取り替えかばー


【手続補正３】
【補正対象書類名】図面
【補正対象項目名】全図
【補正方法】変更
【補正の内容】
【図１】
0003101503.tif 000017
【図２】
0003101503.tif 000018
【図３】
0003101503.tif 000019
【手続補正書】
【提出日】平成15年11月13日(2003.11.13)
【手続補正１】
【補正対象書類名】明細書
【補正対象項目名】実用新案登録請求の範囲
【補正方法】変更
【補正の内容】
【実用新案登録請求の範囲】
【請求項１】
寸法により、形紙、布を重ね裁断したえり首取り替えかばー（１）の外側から見える周囲に刺しゅう（２）を設けその他の周囲にかがり（３）を設け、えり首取り替えかばー（１）の両端に対応する位置につめ（４、５）を設けて、えり首取り替えかばーの裏側（６）に両面てーぷ（７、８）を貼りつけてなるえり首取り替えかばー。
【請求項２】
布用両面てーぷ（７、８）を貼りつけたえり首取り替えかばー（１２）の裏側（６）をえり首本体（１１）に貼りつけ、つめ（９、１０）を内側に曲げて貼りつけてなるえり首取り替えかばー。